(57)【要約】  涙液による干渉縞を観察する場合には、低倍用光源１０が点灯され、被検眼角膜Ｅｃ上の涙液最表層が照明される。角膜Ｅｃからの反射光はＣＣＤ１６に結像され、角膜上の油膜による干渉縞模様１８ａがモニタ１８に映しだされる。涙液量を測定する場合には、高倍用光源の発光素子２０ａ、２０ｂが点灯され、前眼部下瞼部に溜まる涙液メニスカスＥｍが照射される。メニスカスＥｍの表面での反射光は、ＣＣＤ１６上に結像され、モニタ１８には、発光素子２０ａ、２０ｂの像１８ｂ、１８ｃが間隔Ｄ離して明像として表示される。この間隔Ｄを測定すれば、涙液量を定量的に測定することができる。このような構成により、一台で、前眼部涙液層による干渉縞の観察と涙液量の測定を行うことが可能となる。【特許請求の範囲】
【請求項１】
被検眼前眼部を第１と第２の異なる倍率で撮影可能な撮影手段と、
被検眼前眼部を照明する第１の光源と、
所定距離離して配置された前眼部照明のための複数の発光素子よりなる第２の光源と、
第１と第２の光源を選択して点灯させる制御手段とを有し、
第１の光源が点灯されたときは、被検眼前眼部が第１の倍率で撮影され、第２の光源が点灯されたときは第２の倍率で撮影されることを特徴とする眼科撮影装置。
【請求項２】
被検眼前眼部を照明する第１の光源と、
所定距離離して配置された前眼部照明のための複数の発光素子よりなる第２の光源と、
第１と第２の光源を選択して点灯させる制御手段と、
前眼部に溜まる涙液層からの反射光を受光し、該反射光による像を撮影する撮影手段とを有し、
前記撮影手段は、第１の光源が点灯されたときは、涙液層からの第１の光源の反射光により形成される干渉縞を撮影し、第２の光源が点灯されたときは、涙液からの発光素子の反射光による縞模様で、発光素子の互いの配置距離に応じた隔たりのある複数の縞模様を撮影することを特徴とする眼科撮影装置。
【請求項３】
干渉縞が撮影されるときは、前眼部の角膜が低倍率で撮影され、複数の縞模様が撮影されるときは、前眼部の下瞼部が高倍率で撮影されることを特徴とする請求項２に記載の眼科撮影装置。
【請求項４】
前記第２の光源の複数の発光素子は、対物レンズの開口近傍に配置されることを特徴とする請求項１から３のいずれか１項に記載の眼科撮影装置。
【請求項５】
前記第１の光源は、光路分割手段により撮影手段の光路から分岐された光路上に配置されることを特徴とする請求項１から４のいずれか１項に記載の眼科撮影装置。
【請求項６】
前記第１の光源からの光は偏光板を介して被検眼前眼部に照射されることを特徴とする請求項１から５のいずれか１項に記載の眼科撮影装置。
【請求項７】
前記撮影手段は電子画撮影が可能であり、該撮影手段で撮影された画像が第１あるいは第２の光源の点灯に応じて異なって処理されることを特徴とする請求項１から６のいずれか１項に記載の眼科撮影装置。
【請求項８】
第２の光源が点灯されたときは、複数の発光素子の反射光によって生じる縞模様の縞間隔が算出されることを特徴とする請求項７に記載の眼科撮影装置。
【発明の詳細な説明】
【技術分野】
【０００１】
本発明は、眼科撮影装置、更に詳細には、ドライアイなどの診断のために被検眼前眼部を撮影する眼科撮影装置に関する。
【背景技術】
【０００２】
被検眼がドライアイになると、角膜上皮障害や結膜障害、その他種々の眼科疾患を併発する恐れがあるので、被検眼の前眼部を観察あるいは撮影してドライアイなどの症状を診断することが行われている。例えば、被検眼の前眼部の涙液によって形成される干渉縞を観察することによりドライアイの進捗度を定性的に診断することが行われており（特許文献１）、このとき、投光系を介して角膜に入射する光線を、角膜表面に対して垂直方向に入射させて角膜反射を効率よく集光させると、前眼部の観察ないし撮影が良好に行われることが知られている（特許文献２）。【０００３】
また、被検眼前眼部に格子状のスリットを投影し、そのスリット開口像に基づいて前眼部に溜まる涙液の物理量を定量的に測定し、ドライアイの症状を診断することも行われている（特許文献３）。
【特許文献１】特開平７−１３６１２０号公報
【特許文献２】特開平９−２８９９７０号公報
【特許文献３】特開平１１−２６７１０２号公報
【発明の開示】
【発明が解決しようとする課題】
【０００４】
しかしながら、従来では、特許文献１に見られるような涙液層干渉縞の観察と、特許文献３の涙液量の測定は、照明すべき前眼部の位置や観察ないし撮影部位が異なるとともに、それぞれ固有の光学系を必要とし、異なる装置で行う必要があった。また、兼用機で、涙液層干渉縞の観察と、涙液量の測定を行うようにするには、涙液測定の際、光学系に配置される格子状のスリットを、涙液層干渉縞の観察のときに、離脱させなければならず、構成が複雑になり、装置コストを上昇させる要因になっていた。【０００５】
本発明は、このような問題点を解決するためになされたもので、安価な構成で、前眼部涙液層による干渉縞の観察と、涙液量の測定が可能な眼科撮影装置を提供することをその課題とする。
【課題を解決するための手段】
【０００６】
本発明は、
被検眼前眼部を第１と第２の異なる倍率で撮影可能な撮影手段と、
被検眼前眼部を照明する第１の光源と、
所定距離離して配置された前眼部照明のための複数の発光素子よりなる第２の光源と、
第１と第２の光源を選択して点灯させる制御手段とを有し、
第１の光源が点灯されたときは、被検眼前眼部が第１の倍率で撮影され、第２の光源が点灯されたときは第２の倍率で撮影されることを特徴とする。【０００７】
また、本発明は、
被検眼前眼部を照明する第１の光源と、
所定距離離して配置された前眼部照明のための複数の発光素子よりなる第２の光源と、
第１と第２の光源を選択して点灯させる制御手段と、
前眼部に溜まる涙液層からの反射光を受光し、該反射光による像を撮影する撮影手段とを有し、
前記撮影手段は、第１の光源が点灯されたときは、涙液層からの第１の光源の反射光により形成される干渉縞を撮影し、第２の光源が点灯されたときは、涙液からの発光素子の反射光による縞模様で、発光素子の互いの配置距離に応じた隔たりのある複数の縞模様を撮影することを特徴とする。
【発明の効果】
【０００８】
本発明では、前眼部を照明するために複数の光源を設け、各光源を選択的に点灯させることにより、涙液量測定に必要な縞模様、あるいは前眼部の涙液層により形成される干渉縞を撮影ないし観察することができるので、簡単な構成でドライアイの症状を多角的に診断することが可能となる。
【図面の簡単な説明】
【０００９】
【図１】本発明による眼科撮影装置の構成を示した構成図である。
【図２Ａ】第１の光源と第１の倍率（低倍率）のレンズを使用して前眼部角膜の涙液層による干渉縞を観察するときの原理を示した構成図である。
【図２Ｂ】第２の光源と第２の倍率（高倍率）レンズを使用して前眼部下瞼部のメニスカスの涙液量を測定するときの原理を示した構成図である。
【符号の説明】
【００１０】
１０  第１の光源（低倍用光源）
１１  偏光板
１３  対物レンズ
１５  変倍レンズ
１６  ＣＣＤ（撮像手段）
１７  画像演算部
１８  モニタ
１９  制御部
２０  第２の光源（高倍用光源）
【発明を実施するための最良の形態】
【００１１】
以下、図面に示す実施例に基づいて本発明を詳細に説明する。
【実施例１】
【００１２】
図１には、本発明実施例に係る眼科撮影装置の構成が図示されている。同図において、符号１０で示すものは、第１の光源としての低倍用光源で、ハロゲンランプなどから構成される。低倍用光源１０からの光は偏光板１１を通過して、光路分割手段として機能する反射率約３０％のハーフミラー１２で反射されて、撮影光学系の光軸１４と同軸になり、対物レンズ１３を介して被検眼Ｅの前眼部Ｅｐへ照射される。【００１３】
被検眼Ｅの角膜Ｅｃからの反射光は、対物レンズ１３、ハーフミラー１２、変倍レンズ１５を介して、撮影手段としてのＣＣＤ１６上に結像する。このとき、撮影光学系の光軸１４は被検眼角膜Ｅｃの中心になるように位置調整される。【００１４】
変倍レンズ１５は、低倍率レンズ１５ａと高倍率レンズ１５ｂからなり、そのいずれかが撮影光学系の光路に挿入される。ＣＣＤ１６より取り込まれた画像信号は、画像演算部１７に入力されて画像処理され、その画像がモニタ１８に表示される。【００１５】
また、第２の光源としての高倍用光源２０が、対物レンズ１３の開口近傍に配置される。本実施例では、高倍用光源２０は所定距離離して対物レンズ１３の開口の上下に配置されたＬＥＤなどからなる２つの発光素子２０ａ、２０ｂからなり、各発光素子２０ａ、２０ｂは、それが点灯されると、前眼部下瞼部を照明するような位置に配置される。【００１６】
制御部（制御手段）１９は、低倍率レンズ１５ａ、高倍率レンズ１５ｂの撮影光学系光路への挿脱、低倍用光源１０と高倍用光源２０の切り換え点灯、並びに画像処理を制御する。前眼部涙液層により形成される干渉縞を観察するときは、制御部１９は、低倍用光源１０を点灯し（高倍用光源２０の発光素子２０ａ、２０ｂは消灯）、それに連動して低倍率レンズ１５ａを光路に挿入し、干渉縞に対して種々の画像処理を行うように画像演算部１７に指示する。一方、涙液量の測定を行うときは、制御部１９は、高倍用光源２０（発光素子２０ａ、２０ｂ）を点灯させ（低倍用光源１０は消灯）、それに連動して高倍率レンズ１５ｂを光路に挿入し、涙液量の測定を行うように画像演算部１７に指示を出す。【００１７】
このように構成された装置の動作を、干渉縞を観察する場合と、涙液量の測定を行う場合に分けて説明する。【００１８】
干渉縞を観察する場合には、図２Ａに示したように、低倍用光源１０を点灯し、低倍率レンズ１５ａを光路に挿入する。光源１０からの光は、偏光板１１を通過してハーフミラー１２で反射され、対物レンズ１３を介して被検眼角膜Ｅｃ上の涙液最表層の脂質層に投影される。このとき、照明光を角膜表面に対して垂直方向に入射させて角膜反射を効率よく集光させるようにする。【００１９】
角膜からの反射光は、対物レンズ１３、ハーフミラー１２、低倍率レンズ１５ａを通過してＣＣＤ１６に結像される。角膜からの反射光は、脂質層の厚みその他の状態により種々の干渉縞を形成するので、モニタ１８には、角膜上の油膜による干渉縞模様１８ａが映しだされる。そこで、検者は、干渉縞模様を観察することによりドライアイの症状を定性的に観察することが可能となる。このようなドライアイの定性的な観察の詳細は、上述した特許文献１に記載されている。また、この前眼部像の画像に対して種々の画像処理などを行なったり、画像信号強度を見ることにより、角膜の状態を定量化することもできる（例えば、特開平９−２０１３３４号公報を参照）。【００２０】
一方、涙液量を測定する場合には、図２Ｂに示したように、高倍用光源の発光素子２０ａ、２０ｂを点灯し、高倍率レンズ１５ｂを光路に挿入する。発光素子２０ａ、２０ｂからの光は、前眼部下瞼部に溜まる涙液によって形成されるメニスカスＥｍに照射される。このとき、涙液メニスカスＥｍの表面は表面張力の影響で凹面状になっているので、凹面鏡の役割をし、涙液メニスカスＥｍの表面での反射光は、対物レンズ１３、ハーフミラー１２、高倍率レンズ１５ｂを介してＣＣＤ１６上に結像され、モニタ１８には、発光素子２０ａ、２０ｂの像１８ｂ、１８ｃが明像として表示される。涙液量により凹面の曲率が変わるので、二つの明像１８ｂ、１８ｃの間隔Ｄが変化する。この間隔Ｄを測定すれば、高倍率レンズ１５ｂによる結像倍率を測定することになり、涙液量を定量的に測定することができる。このような測定の詳細は、上述した特許文献３に詳細に記載されている。【００２１】
いずれの光源１０あるいは２０を使用するかは、例えば、検者がスイッチ等で指定すればよく、制御部１９は、光源１０あるいは２０の選択に合わせて変倍レンズ１５ａ、１５ｃを選択的に撮影光路に挿入するとともに、ＣＣＤ１６に取り込まれた画像の処理、表示方法などを連動して切り換える。
【図１】
2007004383.tif 000002
【図２Ａ】
2007004383.tif 000003
【図２Ｂ】
2007004383.tif 000004
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
（削除）
【請求項２】
被検眼前眼部を照明する第１の光源と、
所定距離離して配置された前眼部照明のための複数の発光素子よりなる第２の光源と、
第１と第２の光源を選択して点灯させる制御手段と、
前眼部に溜まる涙液層からの反射光を受光し、該反射光による像を撮影する撮影手段とを有し、
前記撮影手段は、第１の光源が点灯されたときは、涙液層からの第１の光源の反射光により形成される干渉縞を撮影し、第２の光源が点灯されたときは、涙液からの発光素子の反射光による縞模様で、発光素子の互いの配置距離に応じた隔たりのある複数の縞模様を撮影することを特徴とする眼科撮影装置。
【請求項３】
干渉縞が撮影されるときは、前眼部の角膜が低倍率で撮影され、複数の縞模様が撮影されるときは、前眼部の下瞼部が高倍率で撮影されることを特徴とする請求項２に記載の眼科撮影装置。
【請求項４】
（削除）
【請求項５】
前記第１の光源は、光路分割手段により撮影手段の光路から分岐された光路上に配置されることを特徴とする請求項２又は３のいずれか１項に記載の眼科撮影装置。
【請求項６】
前記第１の光源からの光は偏光板を介して被検眼前眼部に照射されることを特徴とする請求項２、３又は５のいずれか１項に記載の眼科撮影装置。
【請求項７】
前記撮影手段は電子画撮影が可能であり、該撮影手段で撮影された画像が第１あるいは第２の光源の点灯に応じて異なって処理されることを特徴とする請求項２、３、５又は６のいずれか１項に記載の眼科撮影装置。
【請求項８】
第２の光源が点灯されたときは、複数の発光素子の反射光によって生じる縞模様の縞間隔が算出されることを特徴とする請求項７に記載の眼科撮影装置。
【手続補正２】
【補正対象書類名】明細書
【補正対象項目名】０００２
【補正方法】変更
【補正の内容】
【０００２】
［０００５］
本発明は、このような問題点を解決するためになされたもので、安価な構成で、前眼部涙液層による干渉縞の観察と、涙液量の測定が可能な眼科撮影装置を提供することをその課題とする。
課題を解決するための手段
［０００６］
［０００７］
本発明は、
被検眼前眼部を照明する第１の光源と、
定距離離して配置された前眼部照明のための複数の発光素子よりなる第２の光源と、
第１と第２の光源を選択して点灯させる制御手段と、
前眼部に溜まる涙液層からの反射光を受光し、該反射光による像を撮影する撮影手段とを有し、
前記撮影手段は、第１の光源が点灯されたときは、涙液層からの第１の光源の反射光により形成される干渉縞を撮影し、第２の光源が点灯されたときは、涙液からの発光素子の反射光による縞模様で、発光素子の互いの配置距離に応じた隔たりのある複数の縞模様を撮影することを特徴とする。
発明の効果
［０００８］
本発明では、前眼部を照明するために複数の光源を設け、各光源を選択的に点灯させることにより、涙液量測定に必要な縞模様、あるいは前眼部の涙液層により形成される干渉縞を撮影ないし観察することができるので、簡単な構成でドライアイの症状を多角的に診断することが可能となる。
【国際調査報告】
2007004383.tif 000005
2007004383.tif 000006
2007004383.tif 000007